(57)【特許請求の範囲】
【請求項１】
テープ状記録媒体を走行ガイドするガイドポストとこれを支持するベース板からなるテープガイド装置であって、
前記ガイドポストはその一部位に前記記録媒体のガイド部を、別部位に小径部を有し、前記ベース板と前記小径部とは溶接にて嵌合固定され、前記ガイドポストが立設される前記ベース板の外径は、その長手方向で前記ガイドポストの前記ガイド部の外径よりも突出しないことを特徴とするテープガイド装置。
【請求項２】
前記ベース板と前記小径部との嵌合部の適所が、レーザー溶接により固定されることを特徴とする請求項１に記載のテープガイド装置。
【請求項３】
磁気テープに対して情報の記録又は再生を行うための磁気ヘッドを有する回転シリンダ装置と、
前記磁気テープを収納するカセットを装着し、該カセットを前記回転シリンダ装置に対して支持するカセット載置手段と、
前記磁気テープを前記カセットから引き出して、該磁気テープを所定テープパスに沿って走行させるようにしたテープガイド手段とを備え、
前記テープガイド手段は請求項１又は２に記載のテープガイド装置を含んでいることを特徴とする記録又は再生装置。
【発明の詳細な説明】
【０００１】
【発明の属する技術分野】
本発明は磁気テープ等に代表されるテープ状記録媒体の走行を案内するテープガイド装置に関するものである。
【０００２】
【従来の技術】
ＶＴＲ等の記録又は再生装置に使用される磁気テープは、テープガイド装置によって案内されることにより走行路を形成しているものが一般的である。
【０００３】
図６及び図７に、従来の記録又は再生装置で用いられているテープガイド装置の一例を示す。図６はテープガイド装置の平面図を、図７はテープガイド装置の側面からの断面図を示している。
【０００４】
図６及び図７に示すテープガイド装置においては、ベース１上に、ベース１の回動中心であるブッシュ３、ＶＴＲ等のテープを摺動させて案内するためのガイドポスト２及びベースを回動させるための軸４が固定されている。
【０００５】
ここで、軸４が作動されることによってベース１全体がブッシュ３の内径の中心軸を回動中心として回動し、ガイドポスト２の外周を摺動するテープの走行路を定めることができる。
【０００６】
そして、これらのベース１に固定される部材は、従来はいわゆるハイスピン等による加締めによってベース１に対して締結されていた。
【０００７】
【発明が解決しようとする課題】
しかしながらこのような従来例においては、ガイドポスト２が挿入されるベース１の孔の縁肉の半径Ｒ1は、加締めの際の強度を保つためにガイドポスト２の軸の半径ＲGよりも大きくする必要があった。
【０００８】
従って、他部品との干渉をさけるためにはガイドポスト２の半径ＲG から離間させ、さらに縁肉の外径Ｒ1 よりも離間させる必要があるため、記録又は再生装置の小型化の弊害となっており、かつ設計の自由度も小さくなっていた。
【０００９】
また、近年における記録又は再生装置は、小型化にさらに拍車がかかっており、これに伴って個々の部品に要求される精度もより厳しくなっているのが現状である。このような状況下では、例えば図７に示す上記従来例における、ベース１の回動中心軸Ｏに対するガイドポスト２の中心軸Ｏ’の相対的な倒れが、角度にして１５分以下という厳しい精度が要求されている。
【００１０】
ところが、従来の加締めによる固定法では、加締めの際の部材の変形、位置ずれ等によって、このような高精度の位置関係を確保したまま固定出来ない場合があった。そして、このような場合には、加締め工程後に回動中心軸Ｏに対する中心軸Ｏ’の倒れを測定しながら手曲げ加工によって修正する必要が生じ、工程数の増加、コストの上昇等の問題が生じていた。
【００１１】
従って、本発明の目的は、テープガイド装置を構成する部材の固定方法を改良し、小型化に適したテープガイド装置を高精度かつ安定的に提供することにある。
【００１２】
【課題を解決するための手段】
本発明のテープガイド装置は、テープ状記録媒体を走行ガイドするガイドポストとこれを支持するベース板からなるテープガイド装置であって、前記ガイドポストはその一部位に前記記録媒体のガイド部を、別部位に小径部を有し、前記ベース板と前記小径部とは溶接にて嵌合固定され、前記ガイドポストが立設される前記ベース板の外径は、その長手方向でガイドポストのガイド部の外径よりも突出しないことを特徴とする。
【００１３】
また、本発明のテープガイド装置において、前記ベース板と前記小径部との嵌合部の適所が、レーザー溶接により固定されることを特徴とする。
【００１５】
また、本発明の記録又は再生装置は、磁気テープに対して情報の記録又は再生を行うための磁気ヘッドを有する回転シリンダ装置と、前記磁気テープを収納するカセットを装着し、該カセットを前記回転シリンダ装置に対して支持するカセット載置手段と、前記磁気テープを前記カセットから引き出して、該磁気テープを所定テープパスに沿って走行させるようにしたテープガイド手段とを備え、前記テープガイド手段は前記記載のテープガイド装置を含んでいることを特徴とする。
【００１８】
【作用】
本発明のテープガイド装置において、ガイドポストの一端は縮径された嵌合部を形成しており、ガイドポストとベース板の接合部にレーザーを照射して両者を溶融して固着する。
【００１９】
このようにレーザーにより溶接するため、ベース板の嵌合孔の縁肉を最小限にすることができ、ガイドポストの外形より突出させることなく、必要な強度を保って固着することができる。
【００２０】
【発明の実施の形態】
以下、本発明の一実施形態を図面に基づいて説明する。
【００２１】
ここで先す、本発明に係るテープガイド装置を適用した記録又は再生装置の全体構成例を説明する。図ｌ及び図２において、記録又は再生装置１００は、回転シリンダ装置１０１を備えている。この回転シリンダ装置１０１はメインシャーシ１０２の所定位置に配置され、一方、メインシャーシ１０２に対してスライド可能（図ｌ、両矢印参照）に構成されたスライドシャーシ１０３にはテープリール等が配置される。つまり、この例ではメインシャーシ１０２及びスライドシャーシ１０３を別体構造とし、スライドシャーシ１０３（カセット載置部材）に装着したテープカセット２００を回転シリンダ装置１０１に対して進退させる（図ｌ及び図２に示した状態が、それぞれ対応する）構成としたものである。
【００２２】
また、記録又は再生装置１００は、キャプスタン１０４、キャプスタンモータ１０５、回転シリンダ装置１０１に対するテープ進入側におけるテープ引出用のテープローディング装置１０６及び回転シリンダ装置１０１に対するテープ出側におけるテープ引出用のテープローディング装置１０７等を備えている。そして、これらの部材によりテープパスを形成するためのテープガイド手段が構成される。
【００２３】
記録又は再生装置１００におけるテープローディング動作は、図ｌに示すようにスライドシャーシ１０３上にテープカセット２００が装着された後、テープローディング装置１０６及び１０７によってテープカセット２００の開口部２００ａから磁気テープ２０１が引き出されていくと同時に、スライドシャーシ１０３が回転シリンダ装置１０１に向かってスライド移動する。そして、図２のように回転シリンダ装置１０１が相対的に開口部２００ａ内に配置されると共に、テープローディング装置１０６及び１０７によって磁気テープ２０１が回転シリンダ装置１０１の周面に巻き付けられる。
【００２４】
また、前述したテープガイド手段は、図１及び図２に示すテープガイド装置６を含んでいる。テープガイド装置６はスライドシャーシ１０３に対して回動可能に固定されており、テープローディング動作にともなって所定角度だけ回動して、キャプスタン１０４を通過する磁気テープ２０１を所定の方向へ引き出す。かくして、この記録又は再生装置１００によれば、磁気テープ２０１を所定のテープパスに沿って走行させることにより、記録又は再生を行うことができる。
【００２５】
図３及び図４に、テープガイド装置６の詳細を示す。図３はテープガイド装置６の平面図を示しており、図４は側面からの断面図（図３に示すＡＡ’線に沿った断面）を示している。これらの図からわかるように、テープガイド装置６はベース１、ガイドポスト２、ブッシュ３及び駆動軸４により構成されている。
【００２６】
ベース１は例えばステンレスの板材を加工して形成されたもので、孔１ａにはべース１の回転中心であるブッシュ３が固定されている。そして、孔１ａの近傍に位置する孔１ｂには、ベース１を回動させるための駆動軸４が固定されている。
【００２７】
ベース１の長手方向の端には孔１ｃに挿入されたガイドポスト２が固定されている。ガイドポスト２はベース１と同じ材質からなる軸であって、磁気テープ２０１の摺動面である外径２ａよりも縮径された小径部２ｂが形成されている。
【００２８】
そして、小径部２ｂが孔１ｃへ所定の位置まで挿入され、小径部２ｂと孔１ｃの縁がレーザー光によって共に溶融されることによって固着されている。図３及び図４に示すように、溶融箇所であるＢ部はガイドポスト２の小径部２ｂの外周に沿って等間隔離間させて数カ所程度にするのが適当である。
【００２９】
このように、レーザー溶接によってベース１とガイドポスト２を固着するため、従来の加締めによる固定方法と比較すると、ベース１の形状を小さくすることが可能となる。なぜなら、レーザー溶接工程ではベース１及びガイドポスト２には不要な外力が作用しないため、ガイドポスト２が挿入されるベース１の孔１ｃの縁肉を限界まで薄くすることができるからである。
【００３０】
従って、本実施形態では縁肉の円弧の半径Ｒ2 をガイドポスト２の磁気テープ摺動面の外径２ａの半径ＲG とほぼ等しくしている。このようにすることで、ベース１は長手方向でガイドポスト２の外径よりも突出しないため、周辺に配置する部材はガイドポスト２の外径に接触しない程度まで接近させることができ、記録又は再生装置全体として小型化を図ることができる。
【００３１】
図５にベース１とガイドポスト２のレーザーによる溶接時の側面の断面図を示す。ブッシュ３の内径３ａに嵌合して治具５の軸部５ａが嵌入している。ガイドポスト２は小径部２ｂがベース１の孔１ｃに挿入され、外径２ａが治具８の孔部８ａにチャッキングされている。ブッシュ３の内径３ａの中心軸Ｏとガイドポスト２の外径２ａの中心軸Ｏ’の倒れを最小限に抑えるため、治具５の軸部５ａと治具８の孔部８ａの相対的な倒れは±５分以内に調整しておき、また、治具５の軸部５ａと内径３ａのクリアランスは数μｍ程度に設定してほとんどガタのない状態にしておく。
【００３２】
これらの治具によってブッシュ３の内径３ａとガイドポスト２の相対位置及び相対角度が定まるため、ベース１の孔１ｃとガイドポスト２の小径部２ｂのクリアランスは、いわゆるハイスピン等による加締めのクリアランス程小さくする必要はなく、２００〜６００μｍ程度に設定しておけばよい。
【００３３】
このようにセッティングした状態で、図示せぬレーザー照射装置によって、矢印Ｄ1 ，Ｄ2 の方向からＢ部（溶融箇所）に向かってレーザーが照射される。平面的には、図３に示すように矢印Ｃ1 ，Ｃ2 ，Ｃ3 の３方向からレーザーが照射される。レーザーの照射角度は、ベース１及びガイドポスト２に対して４５°程度の角度が適当である。また、この際のレーザー光の種類としてはＹＡＧレーザーが好適である。
【００３４】
そして、レーザーの照射によってＥ部におけるベース１とガイドポスト２が溶融し、その後硬化することによりベース１とガイドポスト２が固着する。固着の際に不要な外力がかからないため、ベース１あるいはガイドポスト２の変形、相対的な位置ずれ等が発生することがない。従って、治具５の軸部５ａとブッシュ３の内径３ａのガタの範囲内で、中心軸Ｏに対するガイドポスト２の中心軸Ｏ’の倒れを抑えることが可能である。
【００３５】
また、ベース１とガイドポスト２を溶融して結合するため、加締め結合による結合強度よりも格段に強くすることができる。従って、加締め不良等による部品の脱落等の問題も解消して、安定した品質のテープガイド装置を提供することができる。
【００３６】
以上示したように、本実施形態によれば、ベース１とガイドポスト２を固定する際に、レーザーによって両者を溶融して固着するため、ベース１の孔１ｃの縁肉の外径を必要最小限の強度を有する形状まで薄肉化することができる。
【００３７】
また、レーザーを照射する際に、ブッシュ３の内径３ａとガイドポスト２を治具５の軸部５ａ及び治具８の孔部８ａによって確実に保持しているため、両者の相対的な倒れの発生を抑止して高い精度で固着することが可能である。
【００３８】
従って、本実施形態の態様をとることで、記録又は再生装置の小型化に適し、信頼性を向上させたテープガイド装置を提供することができる。
【００３９】
なお、本発明はテープガイド装置に限らず、ベース部材上にピン部材が立設される嵌合構造において特に配置スペース上の制約を受けながら、しかも精度が要求される場合に有効に的用可能である。例えばピン部材に歯車が嵌合する構造であってもよいし、ピン部材をクランクピン等に適用してもよい。
【００４０】
【発明の効果】
本発明によれば、テープガイド装置を構成する部材を高い精度でしかも安定的に固定することができる。従って、記録又は再生装置の小型化に適し、信頼性を向上させたテープガイド装置を提供することができる。
【図面の簡単な説明】
【図１】本発明に係るテープガイド装置を適用した記録又は再生装置の全体構成図である。
【図２】本発明に係るテープガイド装置を適用した記録又は再生装置の全体構成図である。
【図３】本発明に係るテープガイド装置の平面図である。
【図４】本発明に係るテープガイド装置を示す、図３のＡＡ’線に沿った断面図である。
【図５】本発明に係るテープガイド装置の製造工程での側断面図である。
【図６】従来のテープガイド装置の平面図である。
【図７】従来のテープガイド装置の側断面図である。
【符号の説明】
１  ベース
１ｃ  孔
２  ガイドポスト
２ａ  外径
２ｂ  小径部
３  ブッシュ
３ａ  内径
５，８  治具
５ａ  軸部
６  テープガイド装置
８ａ  孔部
１０１  回転シリンダ装置
１０６，１０７  テープローディング装置
【図１】
0003768655.tif 000002
【図２】
0003768655.tif 000003
【図３】
0003768655.tif 000004
【図４】
0003768655.tif 000005
【図５】
0003768655.tif 000006
【図６】
0003768655.tif 000007
【図７】
0003768655.tif 000008